(57)【要約】システムは、磁気テープの上面に書き込むための読み取り／書き込みヘッドを有する磁気テープ処理システムを備える。該読み取り／書き込みヘッドは、該磁気テープの上面に少なくとも４０エルステッド／ナノメートルの書き込みヘッド磁界勾配を提供する。該磁気テープ処理システム及び該読み取り／書き込みヘッドは、８０００トラック／インチより大きいトラック密度、４４０キロビット／インチより大きいビット密度、及び７０未満のアスペクト比を提供する。【選択図】図４
2016502224.tif 000002
【特許請求の範囲】
【請求項１】
磁気テープ処理システムを備えるシステムであって、
前記磁気テープ処理システムは、磁気テープに書き込みを行うための読み取り／書き込みヘッドを備え、
前記読み取り／書き込みヘッドは、前記磁気テープの上面に少なくとも４０エルステッド／ナノメートルの書き込みヘッド磁界勾配を提供し、及び、８０００トラック／インチより大きいトラック密度、４４０キロビット／インチより大きいビット密度、及び７０未満のアスペクト比を提供することからなる、システム。
【請求項２】
前記磁気テープに書き込みを行うために、前記読み取り／書き込みヘッドの下面と前記磁気テープの前記上面との間の間隔が、０ナノメートル〜１００ナノメートルの範囲内にある、請求項１のシステム。
【請求項３】
前記磁気テープの平均粗さは６ナノメートル未満であり、前記磁気テープの二乗平均平方根粗さは１８ナノメートル未満であり、前記磁気テープのある基準の長さにおける粗面のプロファイルの中で上位５番目までの最大高さの平均は３０ナノメートル未満である、請求項１のシステム。
【請求項４】
前記磁気テープが、前記読み取り／書き込みヘッドの下面に接触して前記読み取り／書き込みヘッドをクリーニングするための研磨リーダーを備える、請求項１のシステム。
【請求項５】
前記磁気テープ処理システムは、４ニュートン未満のテープ張力を加える、請求項１のシステム。
【請求項６】
前記磁気テープ処理システムは、パーシャルレスポンス最尤チャネル、クラスＩＶパーシャルレスポンスチャネル、最尤検出器チャネル、及び最小密度パリティコードチャネルのうちの少なくとも１つを備えるチャネルを提供する、請求項１のシステム。
【請求項７】
前記読み取り／書き込みヘッドは、前記磁気テープの前記上面からデータを読み取るように構成された磁気抵抗（ＭＲ）読み取り素子を備える、請求項１のシステム。
【請求項８】
前記磁気テープは、スパッターされた磁気媒体テープである、請求項１のシステム。
【請求項９】
磁気テープ処理システムを備えるデータ記憶システムであって、
前記磁気テープ処理システムが、磁気テープの温度を上げて、前記磁気テープの保磁力を小さくして前記磁気テープに書き込むための熱アシスト読み取り／書き込みヘッドを備えることからなる、データ記憶システム。
【請求項１０】
前記磁気テープ処理システムは、８０００トラック／インチより大きいトラック密度、４４０キロビット／インチより大きいビット密度、及び７０未満のアスペクト比を提供する、請求項９のデータ記憶システム。
【請求項１１】
前記熱アシスト読み取り／書き込みヘッドは、前記磁気テープの上面からデータを読み取るように構成された磁気抵抗（ＭＲ）読み取り素子を備える、請求項９のデータ記憶システム。
【請求項１２】
前記磁気テープの平均粗さは６ナノメートル未満であり、前記磁気テープの二乗平均平方根粗さは１８ナノメートル未満であり、前記磁気テープのある基準の長さにおける粗面のプロファイルの中で上位５番目までの最大高さの平均が３０ナノメートル未満である、請求項９のデータ記憶システム。
【請求項１３】
磁気テープの上面と読み取り／書き込みヘッドの下面との間に０ナノメートル〜１００ナノメートルの範囲内の間隔をあけるステップと、
前記読み取り／書き込みヘッドを用いて、前記磁気テープの前記上面に少なくとも４０エルステッド／ナノメートルの読み取り／書き込みヘッド磁界勾配を提供するステップと、
前記読み取り／書き込みヘッドを用いて前記磁気テープに書き込みを行うステップ
を含む方法。
【請求項１４】
前記読み取り／書き込みヘッドは、８０００トラック／インチより大きいトラック密度、４４０キロビット／インチより大きいビット密度、及び７０未満のアスペクト比を提供する、請求項１３の方法。
【請求項１５】
前記読み取り／書き込みヘッドは、前記磁気テープの前記上面からデータを読み取るように構成された磁気抵抗（ＭＲ）読み取り素子を備える、請求項１３の方法。
【発明の詳細な説明】
【背景技術】
【０００１】
磁気テープデータ記憶装置は、磁気テープへのデジタル記録を使用してデジタル情報を記憶する。しばしば、磁気テープは、オフラインの記録データ保管のために使用されるが、この場合、磁気テープは、保管されているデータの一次コピーである。一般に、磁気テープは、費用効果が高く、３０年以上といった長期にわたる安定した保管性能を有している。
【０００２】
しばしば、磁気テープは、テープカートリッジやテープカセットにパッケージ化されている。テープ装置は、それらのテープにデータを書き込み、及び、それらのテープからデータを読み取る。自動ローダー及びテープライブラリは、テープを格納し及びテープ操作を自動化する。
【先行技術文献】
【特許文献】
【０００３】
【特許文献１】（補充可能性あり）
【図面の簡単な説明】
【０００４】
【図１】本願の技術の１例にしたがうデータ記憶システムの１例を示す図である。
【図２】本願の技術の１例にしたがう磁気テープシステムの１例を示す図である。
【図３】本願の技術の１例にしたがう磁気テープの１例を示す図である。
【図４】本願の技術の１例にしたがう磁気テープ処理システム及び磁気テープシステムの１例を示す図である。
【発明を実施するための形態】
【０００５】
以下の詳細な説明では、本願の一部を構成し、かつ、本願の技術を実施することができる特定の実施形態を例示する添付の図面を参照する。これに関して、「上」、「下」、「前」、「裏」、「前端」、「後端」などの方向を表す用語は、説明される（１以上の）図面の向きに関連して使用される。実施形態の構成要素をいくつかの異なる向きに配置することができるので、それらの方向を表す用語は、説明をわかりやすくするために使用されているのであって、それらに限定するものではない。他の実施形態を用いることができること、及び、本願の技術の範囲から逸脱することなく構造上の変更または論理上の変更を行うことができることが理解されよう。別段の明示がない限り、本明細書において説明されている種々の実施形態の特徴を互いに組み合わせることができることが理解されよう。
【０００６】
１例では、本願は、磁気テープまたは磁気記録媒体の記憶容量を高める技術を提供する。１例では、該技術は、バリウムフェライト材料で部分的に形成された磁気記録媒体に情報を記録し（書き込み）、及び、該磁気記録媒体から情報を取り出す（読み出す）ことができる磁気テープ処理システムを提供する。該技術は、なめらかさ、テープ張力、ヘッド間隔、書き込み熱（writing heat）、フォーマットの準拠（format compliance）、カートリッジリーダーの研磨性、垂直配向における媒体粒子（media particle）の割合、及びビット密度などの特性を組み合わせて形成された磁気テープを含む。該技術はまた、上記のパラメータを具現化する（または組み込んでいる）磁気テープを提供し、パーシャルレスポンス最尤（ＰＲＭＬ：partial response maximum likelihood）チャネルを有する読み取り／書き込みヘッド構造、及び、下位互換性がありかつ次世代のテープ製品に使用できるフォーマットで情報を記録したテープからデータを読み取るための磁気抵抗（ＭＲ）ヘッドを含むことができる。該技術はまた、上記のパラメータまたは特性を有して形成された磁気テープであって、特定のビット体積（bit volume）、磁束密度、及び書き込まれまたは読み出されるビットのアスペクト比（ビットアスペクト比：長さと幅の比）、脱着可能な媒体カートリッジに書き込まれて巻き取られたときのカートリッジの全容量を提供することができる磁気テープを提供することができる。
【０００７】
図１は、磁気テープ処理システム２２及び磁気テープ２４を備えるデータ記憶システム２０の１例を示す図である。１例では、磁気テープ２４は、磁気記録媒体を含むことができ、該媒体への磁気データの書きみ、及び、該媒体からの磁気データの読み出しができるようになっている。１例では、データ記憶システム２０を、オープンフォーマットテープシステムとして動作するように構成することができ、ここで、「オープンフォーマット」という用語は、ユーザーが互換性がある記憶媒体製品の複数のソースにアクセスできるフォーマットを表すことができる。１例では、データ記憶システム２０は、リニアテープオープン（ＬＴＯ：linear tape open）データ記憶システムである。１例では、デーテア記憶システム２０は、ＬＴＯ−７かまたはこれより後の世代のデータ記憶システムである。１例では、データ記憶システム２０は、ＬＴＯ−７かまたはこれより後の世代のデータ記憶システムであって、少なくとも１つの前の世代のデータ記憶システムと下位互換があるデータ記憶システムである。
【０００８】
磁気テープ処理システム２２は、磁気テープ２４の各々に書き込むための読み取り／書き込みヘッド２６を備えている。読み取り／書き込みヘッド２６は、１以上の読み取り／書き込み素子２８を備えている。１例では、読み取り／書き込み素子２８の少なくとも１つは、異方性磁気抵抗（ＡＭＲ：anisotropic magneto-resistance）素子、トンネル磁気抵抗（ＴＭＲ：tunneling magneto-resistance）素子、巨大磁気抵抗 (ＧＭＲ：giant magneto-resistance)素子、垂直通電型巨大磁気抵抗（ＣＰＰＧＭＲ：current perpendicular giant magneto-registance）素子、巨大磁気抵抗効果（ＣＭＲ：colossal magneto-resistance）素子などの磁気抵抗（ＭＲ）型読み取り素子を含む。１例では、ＭＲ型素子（以下、ＭＲ型素子をＭＲ素子ともいう）を、磁気テープにデータを書き込むすなわち記録するのに使用することができ、また、ＭＲ型素子は、磁界を受けると抵抗が変化する特性を有するデバイスを含むことができる。１例では、ＭＲ素子を、磁気読み取り／書き込みヘッド２６及び読み取り／書き込み素子２８などの記録ヘッド構造をなすように構成しもしくは該記録ヘッド構造内に組み込んで、バイアス設計、シールドとシールドの間隔（shield to shield spacing）、電流密度、及びその他の要因などのいくつかの要因に依存して所与の磁界に対して応答速度（response ratio。または応答比）が異なるようにすることができる。別の例では、ＧＭＲ、ＴＭＲ、及びＣＭＲ磁気抵抗記録素子は、スピンバルブ型素子としても知られているものである。なぜなら、それらの磁気抵抗記録素子は、それらの材料中の電子スピンを利用して磁気抵抗応答を駆動するからである。
【０００９】
１例では、磁気テープ処理システム１００は、磁気テープ２４のうちの１つにデータを書き込むために、読み取り／書き込みヘッド２６及び読み取り／書き込み素子２８を動作させて、該磁気テープの表面に少なくとも４０エルステッド（Ｏｅ）/ナノメートル（nm）の書き込みヘッド磁界勾配を生成または提供することができる。書き込みヘッド磁界勾配は、テープの進行方向における距離に関する磁界の微分係数の最大値として定義される。１例では、読み取り／書き込みヘッド２６は、磁気テープの上面または上面の近くにおいて約７０エルステッド（Ｏｅ）／ｎｍの書き込みヘッド磁界勾配を生成または提供することができる。
【００１０】
１例では、磁気テープ処理システム２２は、おおよそ、８０００トラック／インチより大きいトラック密度（すなわちトラック幅は３．２マイクロメートル未満）、４４０キロビット／インチより大きいビット密度、及び、７０未満のアスペクト比（アスペクト比はビット長に対するトラック幅の比）で、磁気テープ２４にデータを書き込むことができる（１インチ＝２．５４ｃｍ）。トラック密度を、磁気テープの上面において該磁気テープの進行方向に実質的に垂直な方向に測定したときのデータトラックの数／インチとして定義することができる。ビット密度は、磁気テープの進行方向においてトラックに沿って測定したときの、システムが読み取ることができる１インチ当たりのビットの数である。
【００１１】
別の例では、磁気テープ処理システム２２は、パーシャルレスポンス最尤（ＰＲＭＬ）チャネル、及び／またはクラスＩＶパーシャルレスポンスチャネル（class-IV partial response channel：ＰＲ４）、及び／または最尤検出器（maximum likelihood detector：ＭＬＤ）チャネル、及び／または最小密度パリティコード（least density parity code：ＬＤＰＣ。または低密度パリティコート）チャネルなどの読み出しチャネルを備えることができる。１例では、ＰＲＭＬチャネルは、ＰＲＭＬ、及び、ＥＰＲＭＬやＥ２ＰＲＭＬなどの拡張ＰＲＭＬを含むことができる。１例では、ＰＲ４チャネルは、ＰＲ４、及び、ＥＰＲ４やＥ２ＰＲ４などの拡張ＰＲ４を含むことができる。１例では、ＭＬＤチャネルは、雑音予測最尤検出器（noise predictive ＭＬＤ：ＮＰＭＬＤ）及びデータ依存型ＮＰＭＬＤ（ＤＤＮＰＭＬＤ）を含むことができる。１例では、読み出しチャネルは、磁気テープに予め書き込まれているデータを検出して復号（デまたは復調）するが、この場合、それらのデータは磁気テープに高密度で書き込まれている場合があるので、書き込まれているデータ遷移が高密度であることによって引き起こされる読み出しノイズ（再生ノイズ）及び符号間干渉の存在下で元の信号を再現するために、高度な技術が必要になりうる。１例では、上記のチャネルは、読み取り／書き込み処理において線形であることが想定されているが、ＤＤＮＰＭＬＤチャネルは、非線形雑音に適応することができ、また、書き込みもしくは読み出し側における読み取り／書き込みヘッド及び磁気テープの非線形性に対処する他のチャネル変形物（channel variant）を提供することができる。
【００１２】
１例では、読み取り／書き込みヘッド２６は、磁気テープ２４の表面に書き込むときに、磁気テープ２４のうちの１つを加熱する、すなわち、該１つの磁気テープの温度を高くすることによって該磁気テープの保磁力を小さくして該磁気テープに書き込む熱アシスト（heat assisted）書き込みヘッドを備えることができる。材料（試料）を磁気的に実質的に飽和させるのに十分な強度の磁界に該材料をさらした後、該磁界の向きとは逆向きの磁界であって、該材料（試料）の磁化をゼロにするのに必要な磁界の強さとして、保磁力を定義することができる。１例では、熱アシスト読み取り／書き込みヘッドは、磁性（磁気）材料の保磁力を小さくするために、３００℃と４５０℃の間の（書き込み用）キュリー温度を提供する。１例では、熱アシスト読み取り／書き込みヘッドは、磁気テープの表面にデータを書き込むときに、２００℃と２７０℃の間の温度まで磁気テープを加熱する（すなわち磁気テープの温度を上げる）ことによって、磁性（磁気）材料の保磁力を小さくして該磁性材料に書き込むことができる。
【００１３】
１例では、磁気テープ処理システム２２は、磁気テープ２４の各々にデータを書き込み、及び、磁気テープ２４の各々からデータを読み出すように読み取り／書き込みヘッド２６及び読み取り／書き込み素子２８を動作させる機能を有することができる。たとえば、磁気テープ２４のうちのある（または任意の）磁気テープを、読み取り／書き込みヘッド２６及び読み取り／書き込み素子２８の近くに配置して、システムが、該テープへのデータを書き込みと該テープからのデータの読み出しを行うことができるように、磁気テープ処理システム２２を構成することができる。この機能を、ハードウェア、またはソフトウェア、または、ハードウェアとソフトウェアの組み合わせで実施することができる。
【００１４】
１例では、磁気テープ処理システム２２は、磁気テープ２４へのデータの書き込みを含む記録処理を実行するように構成された記録モジュール３０を備えることができる。記録モジュール３０を、ハードウェア、またはソフトウェア、または、ハードウェアとソフトウェアの組み合わせで実施することができる。１例では、記録モジュール３０は、磁気テープへのデータの書き込み要求を、ホストまたは他の電子装置から受け取ることができる。記録モジュール３０は、読み取り／書き込みヘッド２６を通過するように磁気テープ２４を移動させて、該磁気テープにデータを書き込むことができる。別の例では、記録モジュール３０は、磁気テープの上面を読み取り／書き込み素子２８の下面の下に配置して、読み取り／書き込み素子２８が該磁気テープにデータを書き込むことができるようにすることができる。記録モジュール３０は、データを、電子的形態から（磁気テープ２４のうちの１つの磁気テープなどの）磁気テープに書き込むことができる磁気的形態に変換することができる。
【００１５】
別の例では、磁気テープ処理システム２２は、磁気テープ２４からのデータの読み出しを含む読み取り処理すなわち再生処理を実行するように構成された再生モジュール３２を備えることができる。再生モジュール３２を、ハードウェア、またはソフトウェア、または、ハードウェアとソフトウェアの組み合わせで実施することができる。１例では、再生モジュール３２は、磁気テープからのデータの読み取り要求を、ホストまたは他の電子装置から受け取ることができる。再生モジュール３２は、読み取り／書き込みヘッド２６を通過するように磁気テープを移動させて、該磁気テープからデータを読み取ることができる。１例では、再生モジュール３２は、磁気テープの上面を読み取り／書き込み素子２８の下面の下に配置することができる。再生モジュール３２は、磁気テープからの磁気的形態のデータを電子的形態に変換することができる。１例では、読み取り／書き込み素子２８は、磁気テープからの磁気情報を電気的形態に変換するのを助けるために、ＰＲＭＬチャネル及びＭＲ読み取り素子を備えることができる。別の例では、再生モジュール３２は、変換された電子データを増幅するのを助けるための読み出し増幅（器）機能を含むことができる。別の例では、再生モジュール３２は、それらの信号を、ホストまたは他の電子装置によって処理されるデジタル形式に変換するための読み取り／書き込みチャネル検出機能を含むことができる。
【００１６】
図２は、データ記憶システム２０で使用される磁気テープシステム４０の１例を示す図である。磁気テープシステム４０は、リーダー４２、磁気テープ４４、及び、磁気テープ供給リール４８を有する磁気テープカートリッジシェル４６を備えている。磁気テープシステム４０は、（図１に示されている）磁気テープ２４の各々に類似する。別の例では、磁気テープカートリッジシェル４６は、２つのリールを備えており、該２つのリールのうちの一方は供給リールで他方は巻き取りリールである。別の例では、磁気テープカートリッジシェル４６は、一方が供給リールで他方が巻き取りリールである２つのリールと、読み取り／書き込みヘッドを通過するように磁気テープを案内するための案内機構を備えている。
【００１７】
磁気テープカートリッジシェル４６は、磁気テープ供給リール４８を備えることができ、または、該リール４８を支持することができる。磁気テープ４４は、供給リール４８に巻き付いており、磁気テープ処理システム２２などのテープ読み取り／書き込みシステムは、リーダー４２を引っ張って、磁気テープ４４を矢印５０で示す方向に磁気テープカートリッジシェル４６から引き出すことができる。磁気テープ読み取り／書き込みシステムは、リーダー４２及び磁気テープ４４を該システム内の巻き取りリールに巻き付けることができる。１例では、リーダー４２を研磨リーダーとすることができ、該リーダーは、磁気テープカートリッジシェル４６から引き出されて、読み取り／書き込みヘッド２６などの読み取り／書き込みヘッド及びテープ読み取り／書き込みシステム内の他の構成要素を横断するときに、該読み取り／書き込みヘッド及び該他の構成要素をクリーニングするために該読み取り／書き込みヘッドの下面に接触する。１例では、リーダー４２を、ＬＴＯタイプの摩耗試験を用いて１００回通過させた後のアルフェシル（Alfesil）摩耗バーの平均摩耗パターン長が８１マイクロメートルかまたはこれより短い研磨リーダーとすることができる。１例では、リーダー４２を、ポリエチレンナフタレート（polyethylene naphthalate：ＰＥＮ）を含む研磨リーダーとすることができる。１例では、リーダー４２全体を、標準的なスリップ剤や粗面化剤（roughening agent）を用いてＰＥＮから作られた研磨リーダーとすることができ、この場合、ＰＥＮ膜を磁気テープ４４よりも厚くすることができ、及び、該ＰＥＮ膜は、より多くの及び／またはより大きなスリップ粒子を含むことができる。１例では、リーダー４２を、ポリエチレンテレフタレート（polyethylene teraphthalate：ＰＥＴ）を含む研磨リーダーとすることができる。１例では、リーダー４２全体を、標準的なスリップ剤や粗面化剤を用いてＰＥＴから作られた研磨リーダーとすることができ、この場合、ＰＥＴ膜を磁気テープ４４よりも厚くすることができ、及び、該ＰＥＴ膜は、より多くの及び／またはより大きなスリップ粒子を含むことができる。
【００１８】
図３は、データ記憶システム２０で使用される磁気テープ６０の断面図の１例を示す図である。磁気テープ６０は、磁気コーティング６２、下層６４、支持層（または基板または支持体）６６、及び、裏面コーティングすなわちバックコート６８を有している。磁気テープ６０は、磁気コーティング６２の表面とすることができる上面７０と、裏面７２とを有している。１例では、磁気テープ６０は磁気テープ４４と類似する。
【００１９】
磁気コーティング６２は、データまたはデジタル情報を格納するために磁化される磁性（磁気）材料を含んでいる。１例では、磁気コーティング６２は、ポリマー結合剤（polymer binder。または高分子結合剤）などの結合剤中に分散した磁性粒子または磁性顔料を含み、この場合、該結合剤は、磁性粒子全体を下層または支持層に対して保持する。１例では、該結合剤を、ポリエステル?ポリウレタン共重合体（polyester polyurethane copolymer）とポリ塩化ビニル（polyvinylchloride：ＰＶＣ）またはＰＶＣ共重合体との混合物とすることができ、この場合、該混合物は自己湿潤基（selfwetting group）を含むことができる。１例では、磁気コーティング６２は、結合剤中に分散した磁性粒子または磁性顔料を含み、この場合、該結合剤は、テープ読み取り／書き込みシステム中の磁気テープ送りを容易にするために滑らかな表面（すなわち平滑面）を提供する。１例では、該結合剤は、平均粗さ（Ra）が約６ｎｍ未満、二乗平均平方根粗さ（root mean squareroughness：RqまたはRrms）が約１８ｎｍ未満、及び、ある基準の長さにおける粗面のプロファイル（輪郭曲線）の中で上位５番目までの最大高さの平均（Rz。または十点平均粗さ。以下同じ）が３０ｎｍ未満である平滑面を提供する。１例では、摩擦を低減するために結合剤に潤滑剤が加えられるが、これによって、テープの摩耗、及び、テープ読み取り／書き込みシステム中を磁気テープを送るのに必要な張力が低減される。１例では、潤滑剤は、ステアリン酸及びステアリン酸ブトキシエチル（butoxyethyl stearate）などのカルボン酸とエステルの混合物である。１例では、ヘッドの詰まり（ヘッドクロッグ）の発生を低減するのを助けるためにヘッドクリーニング剤などの材料（物質）が結合剤に加えられ、及び／または、静電荷を低減するのを助けるためにカーボンブラックが加えられる。１例では、ヘッドクリーニング剤はアルミナの小粒子を含む。１例では、ヘッドクリーニング剤は、モース硬度が３より大きい有機物の小粒子を含む。他の例では、ヘッドクリーニング剤は、二酸化ケイ素、窒化ケイ素、窒化チタンなどの無機物の小粒子を含む。１例では、磁気コーティング６２は、０．０２５マイクロメートル（μｍ）〜０．１マイクロメートル（μｍ）の範囲内の厚さを有する。
【００２０】
下層６４は、磁気コーティング６２を支持し、また、少なくともいくつかの例では、磁気コーティング６２の平滑性を高めることができる。１例では、下層６４を単一の個別の下層とすることができる。１例では、下層６４は、２以上の個々の下層を含む。代替の例では、下層６４は存在しない、すなわち、磁気テープ６０は下層６４を含んでおらず、磁気コーティング６２を、支持層６６に直接付加（または塗布）することができる。
【００２１】
１例では、下層６４は、磁気コーティング６２に使用されているのと同じクラスのポリマー（重合体。たとえば高分子）を含む。ポリエステル?ポリウレタン共重合体（polyester polyurethane copolymer）とポリ塩化ビニル（ＰＶＣ）またはＰＶＣ共重合体との混合物が含まれるが、Ｔｇ、ハードセグメント対ソフトセグメントの比（hard versus soft segment ratio）、分子量、架橋性官能基の当量（または架橋性官能基の同等物）、カーボンブラックや他の無機粒子などの無機物の充填（量）、並びに潤滑剤の選択は、設計基準を満たすように変更される。下層の厚さを、０．１マイクロメートル（μｍ）〜１．０マイクロメートル（μｍ）の範囲内の厚さ、特に、０．４マイクロメートル（μｍ）〜０．８マイクロメートル（μｍ）の範囲内の厚さとすることができ、下層６４を、支持層６６上へのダイ押し出し（die extrusion）などの種々のコーティング技術を用いて付加（または塗布）することができる。１例では、下層６４は、非磁性材料（非磁気材料）である。１例では、下層６４は、磁気コーティング６２の下に磁気的に軟らかく（すなわち軟磁性で）かつ比較的厚い層を含み、磁束は下層６４を通るように案内される。他の例では、磁気テープ６０は複数の下層を含む。
【００２２】
支持層６６は、下層６４及び磁気コーティング６２を支持する。バックコート６８は、支持層６６の裏面に付加（または塗布）される。バックコート６８は、テープ供給リール及びテープ巻き取りリールに磁気テープをより均一に巻き付けることができるようにすることによって、テープ摩擦を小さくし、静電荷を放電し、及びテープの歪みを低減することができる。１例では、バックコート６８は、磁気コーティング６２及び下層６４に使用されているのと同じクラスのポリマー（重合体。たとえば高分子）を含む。ポリエステル?ポリウレタン共重合体（polyesterpolyurethane copolymer）とポリ塩化ビニル（ＰＶＣ）またはＰＶＣ共重合体との混合物とすることができるが、Ｔｇ、ハードセグメント対ソフトセグメントの比、分子量、架橋性官能基の当量（または架橋性官能基の同等物）、カーボンブラックや他の無機粒子などの無機物の充填（量）、並びに潤滑剤の選択は、バックコート６８に関する設計基準を満たすように変更される。ポリマーの選択肢を含むバックコート６８の材料特性は、機械的靱性がより高く、粒子充填量がより小さく、及び、バックコート６８が、導電性が大きくなるようにカーボンブラックをより高い割合で含むことができるようなものとされる。バックコートの分散液調製及び粒子サイズの選択によって、下層６４及び磁気コーティング６２よりはるかに高い最終的な表面粗さをもたらすことができる。バックコートの厚さを、０，２マイクロメートル（μｍ）〜０．７マイクロメートル（μｍ）の範囲内の厚さとすることができ、バックコート６８を、ダイ押し出しなどの種々のコーティング技術を用いて付加（または塗布）することができる。
【００２３】
１例では、磁気テープ４４の磁気コーティングと磁気コーティング６２の各々は、約６ｎｍ（ナノメートル）未満の平均粗さ（Ra）、約１８ｎｍ未満の二乗平均平方根粗さ（RqまたはRrms）、及び、３０ｎｍ未満の平均最大高さ（すなわち、ある基準の長さにおける粗面のプロファイル（輪郭曲線）の中で上位５番目までの最大高さの平均：Rz）を有することができる。別の例では、磁気テープ４４の磁気コーティングと磁気コーティング６２の各々は、（任意の方向における測定値として）０．２５〜０．９８の範囲内の角型比（squareness）、すなわち飽和磁化に対する残留磁化の比を有することができる。１例では、磁気テープ４４の磁気コーティング及び／または磁気コーティング６２は、金属粉末（ＭＰ）磁気媒体（metal particle magnetic medium）を有する。１例では、磁気テープ４４の磁気コーティング及び／または磁気コーティング６２は、金属蒸着（ＭＥ）磁気薄膜を有する。１例では、磁気テープ４４の磁気コーティング及び／または磁気コーティング６２は、六方晶フェライト磁性粒子の乾燥した分散剤（または、該磁性粒子が乾燥して分散した状態）を含む。１例では、磁気テープ４４の磁気コーティング及び／または磁気コーティング６２は、ストロンチウムフェライト磁性粒子（strontium ferrite magnetic particle）の乾燥した分散剤（または、該磁性粒子が乾燥して分散した状態）を含む。１例では、磁気テープ４４の磁気コーティング及び／または磁気コーティング６２は、バリウムフェライト磁性粒子の乾燥した分散剤（または、該磁性粒子が乾燥して分散した状態）を含む。１例では、磁気テープ４４の磁気コーティング及び／または磁気コーティング６２は、スパッター（すなわちスパッタリング）した磁気薄膜（磁性薄膜）を有する。１例では、磁気テープ４４の磁気コーティング及び／または磁気コーティング６２は、たとえば、針状の金属粒子などの非六方晶フェライト磁性粒子（non-hexagonal-ferrite magnetic particle）の乾燥した分散剤（または、該磁性粒子が乾燥して分散した状態）を含む。
【００２４】
１例では、磁気テープ４４のバックコートとバックコート６８の各々は、４０ｎｍ未満の平均粗さ（Ra）、８０ｎｍ未満の二乗平均平方根粗さ（RqまたはRrms）、及び、１００ｎｍ未満の平均最大高さ（すなわち、ある基準の長さにおける粗面のプロファイル（輪郭曲線）の中で上位５番目までの最大高さの平均：Rz）を有することができる。
【００２５】
層６２、６４、及び６８の各々を、粒子分散の湿式分散として付加（または塗布）することができる（その後分散剤は乾燥される）。副層または下層６４を付加（または塗布）して乾燥させ、その後、磁気層６２を付加（または塗布）して乾燥させることができる。代替的には、下層６４と磁気層６２を、ウェット(湿り)状態で順次付加（または塗布）して共に乾燥させることができる。バックコートすなわち裏面コーティング６８を、下層６４及び磁気層６２の（時間的に）前または後に付加（または塗布）して乾燥させることができる。層６２、６４、及び６８の各々を、グラビアコーティングやダイコーティング（die coating）などのコーティング方法によって付加（または塗布）することができる。
【００２６】
図４は、磁気テープ処理システム１００及び磁気テープシステム１０２の１例を示す図である。磁気テープ処理システム１００は、（図１に示されている）磁気テープ処理システム２２に類似する。磁気テープシステム１０２は、図２の磁気テープシステム４０に類似する。１例では、磁気テープ処理システム１００及び磁気テープシステム１０２を、データ記憶システム２０などのデータ記憶システムの一部とすることができる。
【００２７】
磁気テープ処理システム１００は、読み取り／書き込みヘッド１０４と、テープ巻き取りリール１０８を有する巻き取り装置１０６を備えている。読み取り／書き込みヘッド１０４は、磁気テープシステム１０２からの読み取りと該システム１０２への書き込みを行う１以上の読み取り／書き込み素子１１０を備えている。１例では、読み取り／書き込み素子１１０の少なくとも１つが、ＡＭＲ素子、ＴＭＲ素子、ＧＭＲ素子、ＣＰＰＧＭＲ素子、もしくはＣＭＲ素子などのＭＲ型素子を備えている。
【００２８】
磁気テープシステム１０２は、リーダー（図４には示されていない）、磁気テープ１１２、及び、磁気テープ供給リール１１６を備える磁気テープカートリッジシェル１１４を備えている。別の例では、磁気テープカートリッジシェル１１４は、一方が供給リールで他方が巻き取りリールである２つのリールを備える。別の例では、磁気テープカートリッジシェル１１４は、２つのリール、すなわち１つの供給リール及び１つの巻き取りリールと、読み取り／書き込みヘッドを通過するように磁気テープを案内するための案内機構を備えている。
【００２９】
磁気テープ処理システム１００は、リーダーを引っ張って、矢印１２０で示す方向に、磁気テープ１１２を供給リール１１６から引き出して、磁気テープカートリッジシェル１１４の外へと引き出す。磁気テープ処理システム１００は、リーダー及び磁気テープ１１２を巻き取りリール１０８に巻き付ける。１例では、リーダーを、該リーダーが、磁気テープカートリッジ１１２から引き出されて、矢印１２０で示す方向に、読み取り／書き込みヘッド１０４、読み取り／書き込み素子１１０、及び磁気テープ処理システム１００内のその他の構成要素を横断するときに、読み取り／書き込みヘッド１０４、読み取り／書き込み素子１１０、及び磁気テープ処理システム１００内のその他の構成要素をクリーニングする研磨リーダーとすることができる。１例では、リーダーは、ＬＴＯタイプの摩耗試験を用いて１００回通過させた後のアルフェシル（Alfesil）摩耗バーの平均摩耗パターン長が８１マイクロメートルかまたはこれより短い研磨リーダーである。１例では、リーダーは、ポリエチレンナフタレート（ＰＥＮ）を含む研磨リーダーである。１例では、リーダーは、ポリエチレンテレフタレート（ＰＥＴ）を含む研磨リーダーである。
【００３０】
磁気テープ１１２は、下層上に、または、磁気テープ１１２の支持層上に形成することができる磁気コーティングを有する。磁気テープ１１２の磁気コーティングを、磁気テープ４４の磁気コーティング及び／又は（図３に示されている）磁気コーティング６２に類似のものとすることができる。１例では、磁気コーティングは、０．０２５マイクロメートル（μｍ）〜０．１マイクロメートル（μｍ）の範囲内の厚さを有する。１例では、磁気テープ１１２は、（図２に示されている）磁気テープ４４に類似する。１例では、磁気テープ１１２は、図３の磁気テープ６０に類似する。
【００３１】
１例では、磁気テープ１１２は、ＭＰ磁気媒体を含む磁気コーティングを有する。微粒子磁気媒体は、液体プラスチック結合剤に混合された（バリウムフェライト粒子などの）酸化されていない微小な金属粒子を含む（該結合剤は、下層または支持層の表面上に広がって硬化する）。微粒子磁気層は、純粋な磁性（磁気）材料からは構成されていない。その代わり、磁性材料は、硬化したプラスチック様結合剤層中に分散している微小な金属粒子を含む。１例では、磁気テープ１１２は、六方晶フェライト磁性粒子の乾燥した分散剤（または、該磁性粒子が乾燥して分散した状態）を含む。１例では、磁気テープ１１２は、ストロンチウムフェライト磁性粒子の乾燥した分散剤（または、該磁性粒子が乾燥して分散した状態）を含む。１例では、磁気テープ１１２は、バリウムフェライト磁性粒子の乾燥した分散剤（または、該磁性粒子が乾燥して分散した状態）を含む。１例では、磁気テープ１１２は、たとえば、針状の金属粒子などの非六方晶フェライト磁性粒子の乾燥した分散剤（または、該磁性粒子が乾燥して分散した状態）を含む。
【００３２】
１例では、磁気テープ１１２は、ＭＥ磁性（磁気）薄膜を含む磁気コーティングを有し、該磁性（磁気）材料の薄い層は、金属蒸着処理によって形成される。ＭＥ磁性薄膜の材料には、コバルト−ニッケル合金が含まれる。ＭＥ磁気媒体は、磁気層が概ね均一の薄膜材料であるという点で微粒子磁気媒体とは異なる。また、ダイヤモンドライクカーボン（diamond-like carbon：ＤＬＣ。ダイアモンド様カーボンともいう）などの摩耗層が、しばしば、該磁性（磁気）薄膜層の上面に付加（または塗布）される。
【００３３】
１例では、磁気テープ１１２は、スパッター（すなわちスパッタリング）した磁性薄膜を含む磁気コーティングを有する。磁気コーティングは、ＭＥ薄膜に類似のスパッターした磁性（磁気）材料の薄膜であるが、ここでは、該薄膜を生成するために使用される処理はスパッタリングである。
【００３４】
１例では、磁気テープ１１２は、平均粗さ（Ra）が６ｎｍ未満、二乗平均平方根粗さ（RqまたはRrms）が１８ｎｍ未満、及び、ある基準の長さにおける粗面のプロファイル（輪郭曲線）の中で上位５番目までの最大高さの平均（Rz）が３０ｎｍ未満である磁気コーティングを有することができる。別の例では、磁気テープ１１２は、（任意の方向における測定値が）０．２５〜０．９８の範囲内にある角型比（squareness）、すなわち飽和磁化に対する残留磁化の比を有する磁気コーティングを含むことができる。
【００３５】
磁気テープ１１２は、４０ｎｍ未満の平均粗さ（Ra）、８０ｎｍ未満の二乗平均平方根粗さ（RqまたはRrms）、及び、１００ｎｍ未満の平均最大高さ（すなわち、ある基準の長さにおける粗面のプロファイル（輪郭曲線）の中で上位５番目までの最大高さの平均：Rz）を有するバックコートを有する。磁気テープ１１２は、（図２に示されている）磁気テープ４４に類似する。
【００３６】
１例では、動作時に、磁気テープ処理システム１００は、巻き取りリール１０８と供給リール１１６の間で磁気テープ１１２を巻き取ることができる。磁気テープ１１２に対して読み取り及び書き込みをするために、磁気テープ１１２は、矢印１２０で示す方向に引っ張られて、読み取り／書き込みヘッド１０４及び読み取り／書き込み素子１１０を横断する。１例では、磁気テープ処理システム１００は、磁気テープ１１２に対して約４ニュートン（Ｎ）未満のテープ張力を加えることができる。テープ張力を、磁気テープ１１２が読み取り／書き込みヘッド１０４の上の経路に沿って案内されるときの磁気テープ１１２の進行方向（たとえば矢印１２０で示す方向）における磁気テープ１１２の張力として定義することができる。別の例では、磁気テープ処理システム１００は、読み取り／書き込みヘッド１０４の下面１２６と磁気テープ１１２の上面１２２との間に０〜１００ｎｍの範囲内の間隔Ｄを提供することができる。
【００３７】
１例では、磁気テープ１１２に書き込むために、読み取り／書き込みヘッド１０４及び読み取り／書き込み素子１１０は、磁気テープ１１２の上面１２２に書き込みヘッド磁界勾配１２４を提供または生成することができる。書き込みヘッド磁界勾配を、テープの進行方向における距離に関する磁界の微分係数の最大値として定義することができる。１例では、読み取り／書き込みヘッド１０４及び読み取り／書き込み素子１１０は、磁気テープ１１２の上面１２２に少なくとも４０エルステッド（Ｏｅ）／ｎｍの書き込みヘッド磁界勾配を提供または生成することができる。１例では、読み取り／書き込みヘッド１０４及び読み取り／書き込み素子１１０は、磁気テープ１１２の上面１２２に７０エルステッド（Ｏｅ）／ｎｍの書き込みヘッド磁界勾配を提供または生成することができる。
【００３８】
１例では、磁気テープ処理システム１００は、８０００トラック／インチより大きいトラック密度（すなわちトラック幅は３．２マイクロメートル未満）、４４０キロビット／インチより大きいビット密度、及び７０未満のビットアスペクト比（ビット長に対するトラック幅の比）を提供することができる。１例では、読み取り／書き込みヘッド１０４及び読み取り／書き込み素子１１０は、磁気テープ１１２に書き込むことができ、及び、磁気テープ１１２の上面１２２に少なくとも４０エルステッド（Ｏｅ）／ｎｍの書き込みヘッド磁界勾配を提供して、８０００トラック／インチより大きいトラック密度、４４０キロビット／インチより大きいビット密度、及び７０未満のアスペクト比を提供することができる。
【００３９】
１例では、磁気テープ処理システム１００は、ＰＲＭＬチャネル、ＰＲ４チャネル、ＭＬＤチャネル、及び／またはＬＤＰＣチャネルなどの適切な読み出しチャネルを使用することができ、この場合、ＰＲＭＬチャネルは、ＰＲＭＬ、ＥＰＲＭＬ、及びＥ２ＰＲＭＬを含み、ＰＲ４チャネルは、ＰＲ４、ＥＰＲ４、及びＥ２ＰＲ４を含み、ＭＬＤチャネルは、ＮＰＭＬＤ及びＤＤＮＰＭＬＤを含む。１例では、磁気テープ処理システム１００は、六方晶フェライトテープ、すなわち、バリウムフェライト粒子の乾燥した分散剤である（または、該粒子が乾燥して分散している）磁気コーティング層を有する磁気テープに対して、読み取り及び書き込みを行うリニアテープオープン（ＬＴＯ）システムである。
【００４０】
１例では、読み取り／書き込みヘッド１０４は、磁気テープ１１２を加熱する、すなわち、磁気テープ１１２の温度を高くすることによって、磁気テープ１１２の保磁力を小さくして磁気テープ１１２に書き込みを行うことができる熱アシスト読み取り／書き込みヘッドを備えることができる。熱アシスト読み取り／書き込みヘッドは、磁気テープ１１２を加熱するためのレーザー、誘導加熱器（inductive heater）、ペルチェ素子、及び／または、電子ヒーター（electronheater）などの熱源を備えることができる。１例では、熱アシスト読み取り／書き込みヘッドは、３００℃と４５０℃の間の（書き込み時）キュリー温度を提供する。１例では、磁気テープ１１２上の磁性（磁気）材料の保磁力を小さくして磁気テープ１１２に書き込むために、熱アシスト読み取り／書き込みヘッドは、２００℃と２７０℃の間の温度まで磁気テープ１１２を加熱する。
【００４１】
特定の実施形態を図示し及び説明したが、本願の技術の範囲から逸脱することなく、図示し説明した特定の実施形態を様々な代替の及び／もしくは同等の実施例で代用できることが明らかであろう。本願は、本明細書及び図面に開示されている特定の実施形態の任意の適合化または変形形態をカバーすることが意図されている。
【図１】
2016502224.tif 000003
【図２】
2016502224.tif 000004
【図３】
2016502224.tif 000005
【図４】
2016502224.tif 000006
【国際調査報告】
2016502224.tif 000007
2016502224.tif 000008